(57)【要約】【課題】ウェブ上で一般人の歌実力を評価し優秀な実力を持つ者にはサイバー歌手としてのデビュー機会を提供し、ひいてはプロダクション会社との契約を通して音盤吹き込み及び販売を通した収益の創出ができる。【解決手段】ユーザコンピュータ側に曲名選択及び機能設定用メニュー画面を発生させるためのＪＡＶＡプログラムを伝送する段階と、ＪＡＶＡプログラム上で選曲を行なわせ、その選曲した歌を歌って自動録音を通した応募曲データファイルを生成させた後アップロードする段階と、応募曲データファイルを採点し評価する段階と、評価結果を設定点数に比較して合格か否かを判断して知らせるウェブサーバ１０と、会員ＤＢ１３と、音楽ファイルＤＢ１７と、会員の応募曲データファイルを読み取って採点し評価する採点及び評価システム１６、及び原曲ファイルデータを保存している原曲ファイルＤＢ１５とを備える。【選択図】図１
2004500662.tif 000002
【特許請求の範囲】
【請求項１】
当該インターネットサイトに接続したユーザの会員加入案内及び会員認証を行なう段階と、
認証された会員のユーザコンピュータ側に曲名選択及び機能設定用メニュー画面を発生させるための応用プログラムを伝送する段階と、
会員が自分のユーザコンピュータ内にダウンロードされた応用プログラム上で選曲を行なわせ、その選曲された歌を歌って自動録音を通した応募曲データファイルを生成させ、このように生成された応募曲データファイルをアップロードさせる段階と、
該段階でアップロードされた応募曲データファイルを採点し評価する段階と、
評価結果を設定点数に比較することによって合格か不合格かを判断して合格ならば予め定められたイベントを通して歌手王を選抜してサイバーシンガーを確定し、不合格ならば採点結果に基づく改善方向に対するアドバイスを提示し終了する段階を行なうウェブサーバ１０と、
該ウェブサーバに接続され登録会員の応募情報及び身元情報などを貯蔵する会員ＤＢ１３と、
前記ウェブサーバに接続され多数の歌伴奏情報を前記ウェブサーバを介してユーザコンピュータに伝送する音楽ファイルＤＢ１７と、
前記ウェブサーバに接続され会員の応募曲データファイルを読取って採点し評価する採点及び評価システム１６と、
応募曲の採点のための原曲ファイルデータを保存している原曲ファイルＤＢ１５とを備える
ことを特徴とするインターネットを用いた歌実力評価及び歌手選抜システム。
【請求項２】
前記ウェブサーバ１０は、参加者から歌手選抜プログラム参加費の決済を受けるための決済システム１４をさらに備える
ことを特徴とする請求項１に記載のインターネットを用いた歌実力評価及び歌手選抜システム。
【請求項３】
前記ウェブサーバ１０からユーザコンピュータ側に提供される選曲及び曲実行のための応用プログラムは、ＪＡＶＡアプレットを利用する
ことを特徴とする請求項１に記載のインターネットを用いた歌実力評価及び歌手選抜システム。
【請求項４】
前記ウェブサーバ１０からユーザコンピュータ側に提供される歌選曲及び曲実行のための応用プログラムは、プラグインプログラムである
ことを特徴とする請求項１に記載のインターネットを用いた歌実力評価及び歌手選抜システム。
【請求項５】
インターネット上における参加者の歌実力評価及び歌手選抜方法において、
当該サイトに接続したユーザの会員加入案内及び会員認証を行なう段階と、
認証された会員のユーザコンピュータ側に曲名選択及び機能設定用メニュー画面を発生させるためのＪＡＶＡ応用プログラムを伝送する段階と、
会員が自分のユーザコンピュータ内にダウンロードされたＪＡＶＡ応用プログラム上で選曲を行なわせ、その選曲された歌を歌って自動録音を通した応募曲データファイルを生成させ、このように生成された応募曲データファイルをアップロードさせる段階と、
該段階でアップロードされた応募曲データファイルを採点し評価する段階と、
評価結果を設定点数に比較することによって合格か不合格かを判断して、合格ならば予め定められたイベントを通して歌手王を選抜することによってサイバーシンガーを確定し、不合格ならば採点結果に基づく改善方向に対するアドバイスを提示し終了する段階とを備える
ことを特徴とするインターネットを用いた歌実力評価及び歌手選抜方法。
【請求項６】
応募曲のデータは、ユーザコンピュータのＪＡＶＡ応用プログラム上に常住するメモリ領域に貯蔵され、ユーザの伝送メニュー選択または歌完了認識によってサーバに自動伝送させる
ことを特徴とする請求項５に記載のインターネットを用いた歌実力評価及び歌手選抜方法。
【請求項７】
歌実力評価及び歌手選抜プログラム参加者は、自分の応募曲オーディオデータファイルと自分の映像ビデオデータファイルをＪＡＶＡ応用プログラム上で生成させビデオ審査を受けるためにウェブサーバに伝送する
ことを特徴とする請求項５に記載のインターネットを用いた歌実力評価及び歌手選抜方法。
【請求項８】
歌実力評価及び歌手選抜プログラム参加者は、自分の応募曲についてオフライン上で専門審査委員による実質審査を請求できる段階をさらに備える
ことを特徴とする請求項５に記載のインターネットを用いた歌実力評価及び歌手選抜方法。
【請求項９】
歌実力評価及び歌手選抜プログラムの参加者に審査類型別に相異なる料金を定めてそれぞれ課金する過程をさらに備える
ことを特徴とする請求項５乃至８のうちいずれか１項に記載のインターネットを用いた歌実力評価及び選手選抜方法。
【発明の詳細な説明】
【０００１】
【発明の属する技術分野】
本発明は一般人がインターネットを用いて自分の歌実力の評価を受け歌手としての可能性が判断でき、さらにはプロ歌手としての進出までも可能にするウェブ上における歌手選抜に係り、さらに詳しくは優秀な歌実力を有する者にはサイバー歌手としてのデビュー機会を提供し、またプロダクション会社との契約を通して音盤吹き込み及び販売を通した収益の創出を期待できるインターネットを用いた歌実力評価及び歌手選抜システムとその選抜方法に関する。
【０００２】
【従来の技術】
人々は良く知られている歌を聞いたり追い歌いを楽しむ。それで多くの人々はカラオケ機器を購入して追い歌いを楽しんだり、カラオケボックスに訪ねて歌を歌う。
最近、コンピュータの普及が急速になされているが、このようなコンピュータの急速な普及の一要因としてコンピュータを利用したカラオケシステムの具現が可能だったという点を認めざるを得ない。
ＣＤやその他カラオケソフトプログラムを用いたコンピュータにおけるカラオケ具現は、多くの人々に費用節減と時間的な制約問題の解決を提供したが、限られたオフライン上における具現であるという短所によって迫進感が得られなくて、その利用者は次第に興味を失って行く現状である。
閉鎖的なオフライン上における観衆のないカラオケ具現による短所は、インターネットを用いたオンライン上におけるカラオケ具現を通して解決しようとする試図があった。オンライン上におけるカラオケ具現はその迫進感と緊張感を付与するという点以外も方式の展開に応じて多数の観衆の前で歌う効果を演出することができる。
このような試しは歌を歌うことを楽しむ多くの人々に肯定的な反応を得ている。
しかし、インターネットを通したオンライン上における歌練習はただ追い歌ををリアルタイムで実行するという点以外に既存のオフライン上における追い歌いとさほど違ったことがない。
いずれにせよ、多数の人々は歌が好きで、またその一部の人は上手な歌い方の希望から実力を錬磨したり、また自分が歌に上手になることを希望する。また歌に素質がある人は歌手になりたいと希望する。
歌手入門過程は一般人の立場から見る際極めて不馴れであり、また歌手入門について時間と経費を投資すべきであるとの認識が深いため、誰でも敢えて意欲さえも出し得ない。
従って、一般人に歌手としての資質に対する評価とアドバイスを極めて低費用でサービスを提供し、ひいてはプロ歌手として入門をガイドできるならば多くの人々から好評があると期待される。
【０００３】
【発明が解決しようとする課題】
本発明は前述した問題点を解決するために案出されたもので、その目的はウェブ上で一般人の歌実力を評価し優秀な実力を有する者にはサイバー歌手としてのデビュー機会を提供し、ひいてはプロダクション会社との契約を通して音盤吹き込み及び販売を通した収益を創出できるようにしたインターネットを用いた歌実力評価及び歌手選抜システムと該選抜方法を提供するところにある。
本発明の他の目的は、歌手選抜プログラムに参加したが脱落した参加者に該当参加者の歌実力のうち足りない部分及び改善方向を正確にアドバイスすることによって、参加者の歌実力向上に役に立つインターネットを用いた歌実力評価及び歌手選抜システムと該選抜方法を提供するところにある。
本発明のさらに他の目的は、低費用で歌手としてのデビュー可否及び商業的成功可否を実験して見られるので歌手志望者の経済的負担を著しく軽減させうるインターネットを用いた歌実力評価及び歌手選抜システムと該選抜方法を提供するところにある。
【０００４】
【課題を解決するための手段】
前述した目的を達成するための本発明に係る歌実力評価及び歌手選抜方法は、当該サイトに接続したユーザの会員加入案内及び会員認証を行なう段階と、認証された会員のユーザコンピュータ側に曲名選択及び機能設定用メニュー画面を発生させるためのＪＡＶＡプログラムを伝送する段階と、会員が自分のユーザコンピュータ内にダウンロードされたＪＡＶＡプログラム上で選曲を行なわせ、その選曲された歌を歌って自動録音を通した応募曲データファイルを生成し、このように生成された応募曲データファイルをアップロードする段階と、該段階でアップロードされた応募曲データファイルを採点し評価する段階と、評価結果を設定点数に比較することによって合格か不合格かを判断して、合格ならば予め定められたイベントを通して歌手王を選抜してサイバーシンガーを確定し、不合格ならば採点結果に基づく改善方向に対するアドバイスを提示し終了する段階と、を備えることを特徴とする。
【０００５】
前述した目的を達成するための他の本発明である歌実力評価及び歌手選抜システムは、当該サイトに接続したユーザの会員加入案内及び会員認証を行ない、認証された会員のユーザコンピュータ側に曲名選択及び機能設定用メニュー画面を発生させるためのＪＡＶＡプログラムを伝送し、会員が自分のユーザコンピュータ内にダウンロードされたＪＡＶＡ上で選曲を行なわせた後その選曲された歌を歌って自動録音を通した応募曲データファイルを生成させ、このように生成された応募曲データファイルをアップロードさせ、前記段階においてアップロードされた応募曲データファイルを採点し評価し、評価結果を設定点数に比較することによって合格か不合格かを判断して、合格ならば予め定められたイベントを通して歌手王を選抜してサイバーシンガーを確定し、不合格ならば採点結果に基づく改善方向に対するアドバイスを提示し終了する段階を行なうウェブサーバと、該ウェブサーバに接続され登録会員の応募情報及び身元情報などを貯蔵する会員ＤＢと、前記ウェブサーバに接続され多数の歌伴奏情報を前記ウェブサーバを介してユーザコンピュータに伝送する音楽ファイルＤＢと、前記ウェブサーバに接続され会員の応募曲データファイルを読み取って採点し評価する採点及び評価システム、及び応募曲の採点のための原曲ファイルデータを保存している原曲ファイルＤＢと、を備えることを特徴とする。
【０００６】
【発明の実施の形態】以下、添付した図面に基づき本発明を詳述する。
図１は本発明のシステムのブロック構成図である。ここで、参考された通り、ウェブサーバ１０はインターネット１１上にサイバーシンガーサイトを構築して多数の歌手志望者または歌実力評価希望者がユーザコンピュータ１２を通して該サイトの歌手選抜プログラムに参加できるようインターネットサービスを提供するよう構成する。
【０００７】
前記ユーザコンピュータ１２は、通信モデム、ラン、ＡＤＳＬ、ケーブルＴＶ網などを介してウェブサイトを運営する前記ウェブサーバ１０に接続されるよう設けられる。
【０００８】
前記ウェブサーバ１０には、当該サイバーシンガーサイトに登録された会員の身元情報、応募情報、決済情報などを貯蔵しまたアップデートさせる会員ＤＢ１３と、音楽データと歌伴奏データをファイルで保存してウェブサーバを通した参加者の選曲情報に基づき該当曲の歌伴奏情報をユーザコンピュータ側に伝送し、またユーザによる音楽ファイルダウンロード申し出があれば該当音楽ファイルをウェブサーバを介してインターネット接続者に伝送するための音楽ファイルＤＢ１７と、前記ウェブサーバの歌手選抜及び歌実力評価運営プログラムに基づき参加者の応募曲データを読取って採点し評価する採点及び評価システム１６を結合させ構成する。
【０００９】
このウェブサーバ１０には、歌実力評価応募料、音楽ファイルダウンロード料などに関連した代金を前記会員ＤＢ１３に貯蔵されたサイバーポイントや現金などの決済手段または決済代金自動振替プログラムを通して自動徴収できる環境を構築するための決済システム１４を結合させうる。
【００１０】
そして、前記ウェブサーバ１０には、参加者の歌実力を評価するために採点を遂行する際、その採点の基準値として使用するための原曲のデータファイルを貯蔵させた原曲ファイルＤＢ１５を結合させ構成する。
【００１１】
また、前記ウェブサーバには会員を対象にする広告のデータベースを結合させ広告主から広告掲示の代価を授受するもので、当該サイトの運営費と会員に対する広告視聴ポイントバックの財源を設けられる。
【００１２】
このように構成された本発明のシステムの動作過程を図２の全体流れ図に基づき説明する。
まず、インターネット利用者が自分のユーザコンピュータを介して当該発明のサイバーシンガーサイトに接続すれば、ウェブサーバ１０は会員加入有無を確認する過程を行なう。ここの会員番号の要求に応じて接続者自分のＩＤと秘密番号を入力すれば、ウェブサーバは会員ＩＤ１３に登載された会員コードを照会して認証可否を判断する。
【００１３】
もし、当該サイトに接近した者が会員ＩＤを有していない場合は、会員加入を案内して会員加入を誘導する。この過程で、自分の身元情報の入力を通して会員加入を申請すれば、会員認証を経てインターネット歌実力評価プログラムへの参加を可能にするＪＡＶＡプログラムのダウンロードが実行される。
【００１４】
しかし、会員加入に応じない当該サイト訪問者は、オープンカラオケモードにガイドされ選曲及び追い歌いと追い歌った歌の採点及び評価過程を通してインターネット無料カラオケを利用できるようになる。このようなオープンカラオケは反復的に実行することを許し、その採点及び評価は通常のツールを用いて概略的に進まれる。
【００１５】
このようなオープンカラオケモードにおける追い歌いの評価は、後述する有料歌実力評価システムの運営とは根本的に違う方式を取って両者に明らかな違いがあるよう設計する。
特に、前記オープンカラオケモードにおいて利用者が歌練習及び追い歌いを終了し、当該サイト内の他のメニューまたはリンクサイトに移動することを許容する。前述した他のメニューまたはリンクサイトへの移動を通して、当該サイトに接続した利用者は自分所望のメニューやサイトに移動できるようになる。
【００１６】
前記他のメニューやリンクサイトとして、音盤類などの電子商取引のためのＣＤショップ、ゲームルーム、チャットルームなどが挙げられる。このようなリンクサイトの移動やメニュー選択を通して、例えばＣＤショップで所望のＣＤを購入した後、自分のサイバーポイント（登録された会員だけ使用できるよう制限が可能である）計定やカードのような決済手段を通して該当物品代金またはサービス代金が支払える。この際、ウェブサーバ１０に連動して決済システム１４と会員ＤＢ１３が稼働される。
前述したサイバーポイントは、当該サイトに顕示されたり呼出された広告をクリックすることで、またその他提携及び関連サイトにおける電子商取引を通してその実績ポイントを獲得でき、このようなサイバーポイントは個人別会員ＤＢ１３に累積保有される。
【００１７】
一方、当該サイト接続者に対するサーバ側からの会員認証を経てユーザコンピュータ上に生成させたＪＡＶＡプログラムまたはプラグインプログラムを用いてサイバーシンガー資格選抜プログラムに参加する過程のサブルーチンを図３に示している。  ここで、当該サイトに接続したインターネット利用者が、自分のコンピュータ上に呼出されたＪＡＶＡアプレットまたはプラグイン上で数字キーボタンメニューや各種機能調節ボタンメニューを用いて自分好きな曲を選択する。
【００１８】
このように選曲がなされれば、ウェブサーバ側では該当選曲音楽ファイルについてオンライン上でダウンロードを受けるか否かを歌実力評価及び歌手選抜プログラム参加者が選択することを要求する。この段階は、予め配布されうる選曲対象曲が収録されたＣＤロムを利用しようとするユーザには別のダウンロード過程なしで早速ＣＤロムに収録された曲を用いるようにすることを許容するためであり、この段階（ＣＤロムを利用するか否かの選択段階）を本発明の実行における必須段階に限られない。
【００１９】
参加者が自分保有のＣＤロムからの応募曲伴奏データのダウンロードを選択すれば、該当選曲に対するデータファイルがＣＤロムからＪＡＶＡ（またはプラグイン）上のメモリにダウンロードされる。かつ参加費名目の評価料が決済システムの稼働を通して決済がなされる。この際、選曲された歌に対する使用料の請求はない。
しかし、応募曲によるオンラインダウンロードを要請すれば、該当曲の歌伴奏データがインターネットオンライン上で実時間でダウンロードされＪＡＶＡアプレットやプラグインのメモリ領域にロードされ、この場合、参加費名目の評価料以外に音楽使用料が請求される場合がある。
【００２０】
一方、本発明に他の歌実力評価及び歌手選抜プログラムに参加した者のユーザコンピュータ上に応募曲のデータがダウンロード完了されれば、ユーザの選択によって歌うための前奏伴奏及びマイクの作動と録音プログラムの作動がなされるようになる。このような録音動作はオンライン上におけるリアルタイムで進行される。
このような式で歌テストが完了されれば、該当歌い録音データはファイル化して本発明のウェブサーバ側に伝送され会員ＤＢ１３の該当会員ＩＤディレクトリに保存される。
【００２１】
この際、参加応募曲の伝送方式において、歌い済んだ後、ユーザの伝送メニュー選択があるか、またはプラグインまたはＪＡＶＡプログラムにおける歌完了認識があれば、サーバ側に自動伝送されるようにすることができる。
必要な場合、参加者が前述した方式の通り、選曲動作を行なった後、オフライン上で時間的制約なしで歌を歌ってこれを録音した後、ウェブサーバ側に伝達することも許容できる。
【００２２】
このようにサイバーシンガー資格選抜のためのサブルーチンのプログラム実行が進まれれば、ウェブサーバ１０は原曲ファイルＤＢ１５に収録された該当曲のオリジナル歌手が歌った歌データを呼出して採点及び評価システム１６を駆動して応募曲に対する採点及び評価サブルーチンを行なう。
【００２３】
前記応募曲に対する採点及び評価サブルーチンは図４の流れで進まれる。ここで参考されるように、ウェブサーバは会員ＤＢ１３から応募曲、すなわち参加曲のデータファイルをロードし、また原曲ファイルＤＢ１５から原曲データファイルをロードした後、これらの電気的な分析特性値に基づき二つのデータを直接に比較する。
これは、参加者の歌の音程、拍子、歌詞（発音）などの物理的な量が原曲歌手のそれにどれぐらい接近しているのかに対する比較情報を電気的特性の定量分析技法（電子採点）を通して極めて迅速で正確に得られるようになる。
【００２４】
こうして得られた応募曲に対する結果値を百分率化して得点値を決定し、この得点値が予め定められておいた基準値（例えば９０点以上の値）に達したか否かによって合格か不合格かを判定する。
従って、サイバーシンガー資格選抜プログラムに参加した者の歌実力が、予め定められた基準点数に達したか否かを判断することによって合格か不合格かが決定され、ここで参加者の歌実力が合格点数に達していない状態ならばその評価点数の提示と共に改善方向に対する情報を提供する。
このため、予め電子採点結果に対する多様なケースをモデル化して別のアドバイス専用データベースを構築し、ファイルの採点分析情報が出てくると、その採点性向に合うモデル化されたケースのアドバイスメニュー情報が参加者に提供されるようにすることができる。
【００２５】
ウェブサーバ側は不合格判定を受けた参加者が希望する場合、参加回数に限らず再挑戦することを許容する。
【００２６】
前記の歌実力評価及び歌手選抜プログラムに参加して合格判定を受けた参加者は週間別、月別、分期別、年度別歌手王選抜大会（イベント）に参加して競争できる機会が付与され、ここで優勝した者は歌手王として選抜されプロ歌手としてのサイバーシンガー資格が付与される。このイベントプログラムは、前述したようなオンライン上における過程を通して進行したり、オフライン上における専門家による実際目視及び聴覚審査を行なえる。
このようにサイバーシンガーとしての資格を得た参加者は、プロダクション会社との契約及び訓練と教育を通してウェブ上のサイバープロ歌手の活動だけではなく、オフライン上における現実的な歌手としての活動と共にＣＤ音盤制作及び販売を通してトータルエンターテインメント収益を創出する。
【００２７】
図５は本発明の他の実施形態であるオンライン上における実時間参加及び採点過程に対する流れ図である。
ここでは、前述したＪＡＶＡアプレットまたはプラグインを用いた応募曲選定後、スタートボタンメニューの選択と同時に実時間で歌いと採点が進行される過程が実行される。このような採点方式は参加者のミスを許容しないが、実力ある参加者には迫進感と緊張感、それから現場感をそのまま提供するため、その興味度を増進させる。
【００２８】
技術的な部分から見る際、参加者が選曲を完了した後、伴奏に合わせて歌い始めるためにＪＡＶＡアプレットまたはプラグイン上のスタートボタンメニューをクリックすれば、ウェブサーバは原曲ファイルＤＢを稼働させ該当選曲の原曲が同時に同期され始り、これら原曲の流れと参加者曲の流れを実時間で電気的分析値に基づいた音程、拍子、発音などを比較する形で採点が進行される。
従って、歌いが終了される時点で参加者の歌実力の採点及び評価が完了されるため、参加者は待機時間なしで自分の歌実力に対する評価と歌手選抜プログラムにおける合格か不合格かが早速分かるようになる。
【００２９】
図６は本発明のさらに他の実施形態であるビデオ審査プログラムの採点及び評価過程に対する流れ図である。
ここでは、ユーザコンピュータ上に呼出されているＪＡＶＡアプレットや予めダウンロードしておいたプラグインを用いて応募曲を選定するようになる。この際、ビデオ審査モードを選択すれば、ウェブサーバはユーザ側に選曲伴奏データファイルをダウンロードすると同時に、音楽使用料以外にビデオ実体審査料の請求及び決済を行なう。
【００３０】
予め配布されたＣＤロムを用いる場合、音楽使用料を除いた純粋ビデオ実体審査料だけを請求しその決済を行なう。
その後、ユーザによって歌実力評価及び歌手選抜プログラムの開始ボタンメニューがクリックされれば、ユーザが予め用意しておいたマイク装置とビデオカメラの作動が進行され、参加者の音声と様子をＪＡＶＡアプレットなどで支援されるメモリ領域に貯蔵する。
【００３１】
参加者の選択によるビデオ撮影及び歌テストが完了すれば、該当選曲の歌いデータを含んだビデオファイルはウェブサーバに伝送され、該ビデオファイルは参加者の会員ＤＢの会員ＩＤディレクトリに保存される。
このように貯蔵されたビデオファイルは、専門審査委員によってビデオ歌手としての可能性に対する合格及び不合格の通報と改善方向に対するアドバイスが参加者に提供される。
【００３２】
図７は本発明のさらに他の実施形態の流れを示した図であって、会員が所望する場合、歌実力評価及び歌手選抜プログラム上の応募曲について専門審査委員によるオフライン精密審査過程を示している。
ここではＪＡＶＡアプレットまたはプラグインプログラムを用いた参加者コンピュータ上における選曲が完了した後、ウェブサーバ側には審査方式を提示して参加者が所望の審査モードを選択するようにしている。この際、参加者がオンライン方式によるディジタル審査モードを選択すれば、前述した図３の流れ図と同様な流れを持って歌実力評価及び歌手選抜プログラムにおける合格か不合格かが分かるようになる。
【００３３】
しかし、前記審査モード選択段階で、参加者がオフライン上における専門審査委員による精密評価を受けるためにオフラインモードを選択すれば、選曲伴奏データのダウンロードに引き続き歌テスト完了した後、会員ＤＢに貯蔵された応募曲ファイルを審査委員が直接に再生して聴取した後、歌手選抜可否に対する評価と歌実力に対する精密分析を行なう。
【００３４】
このようにオフライン上で審査された参加者の歌実力評価及び合格か不合格に対する結果は、別の文書で作成して電子メールなどを通して参加者に通報することによって終了する。
【００３５】
【発明の効果】
以上述べた通り、本発明はウェブ上で一般人の歌実力を評価し優秀な実力を有する者にはサイバー歌手としてのデビュー機会を提供し、ひいてはプロダクション会社との契約を通して音盤吹き込み及び販売を通した収益の創出までも可能に支援するため、一般人をして歌手入門の道を開ける効果を奏でる。
また本発明は歌手選抜プログラムに参加したが脱落した参加者に該当参加者の歌実力のうち足りない部分及び改善方向を正確にアドバイスするので、参加者は自分の歌実力のうち足りない部分に対する改善を通して歌実力を向上させうる。  そして、本発明は低費用で歌手としてのデビュー可否及び商業的成功可否を実験できて歌手志望者の経済的負担を著しく軽減させうる有意義な効果を奏でる。
【図面の簡単な説明】
【図１】
本発明に係るサイバーシンガー歌実力評価及び歌手選抜のためのシステムのブロック構成図である。
【図２】
本発明に係るサイバーシンガー選抜の全過程を説明する流れ図である。
【図３】
本発明に係るサイバーシンガー選抜プログラム参加者によるインターネット応募過程を説明する流れ図である。
【図４】
本発明に係るサイバーシンガー選抜プログラム参加者の歌実力を採点し評価する過程を説明する流れ図である。
【図５】
本発明に係るサイバーシンガー選抜プログラム参加者によるインターネットリアルタイム応募及び評価過程を説明する流れ図である。
【図６】
本発明に係るサイバーシンガー選抜プログラム参加者の動映像モード支援及びその評価過程を説明する流れ図である。
【図７】
本発明に係るサイバーシンガー選抜プログラム参加者の支援に応ずる専門審査委員による審査及びその評価過程を説明する流れ図である。
【符号の説明】
１０　　ウェブサーバ
１１　　インターネット
１２　　ユーザコンピュータ
１３　　会員ＤＢ
１４　　決済システム
１５　　原曲ファイルＤＢ
１６　　採点及び評価システム
１７　　音楽ファイルＤＢ
【図１】
2004500662.tif 000003
【図２】
2004500662.tif 000004
【図３】
2004500662.tif 000005
【図４】
2004500662.tif 000006
【図５】
2004500662.tif 000007
【図６】
2004500662.tif 000008
【図７】
2004500662.tif 000009
【国際公開パンフレット】
2004500662.tif 000010
2004500662.tif 000011
2004500662.tif 000012
2004500662.tif 000013
2004500662.tif 000014
2004500662.tif 000015
2004500662.tif 000016
2004500662.tif 000017
2004500662.tif 000018
2004500662.tif 000019
2004500662.tif 000020
2004500662.tif 000021
2004500662.tif 000022
2004500662.tif 000023
2004500662.tif 000024
2004500662.tif 000025
2004500662.tif 000026
2004500662.tif 000027
2004500662.tif 000028
2004500662.tif 000029
2004500662.tif 000030
2004500662.tif 000031
2004500662.tif 000032
2004500662.tif 000033
2004500662.tif 000034
【国際調査報告】
2004500662.tif 000035